(57)【要約】  被検者の頭皮表面上に配置される複数個の送光プローブ１２と受光プローブ１３とを有する送受光部３０と、送光プローブ１２が頭皮表面に光を照射するとともに、受光プローブ１３が頭皮表面から放出される光を検出するように制御することで、Ｍ個の測定部位に関するＭ個の受光量情報を取得する送受光用制御部２１と、Ｍ個の受光量情報に基づいてＭ個の測定データを取得する演算部２２と、Ｍ個の測定データの内から選択されたＮ個の測定データが配列された表示画面を表示する測定データ表示制御部２３と、Ｎ個の測定データの内から選択された少なくとも１個の測定データを処理する処理部２４とを備える光生体計測装置１であって、測定データ表示制御部２３で表示された画面上において、測定データ画像が選択されることにより、処理部２４で処理される測定データが決定され、処理された測定データが表示されるように構成する。
2014073069.tif 000002
【特許請求の範囲】
【請求項１】
被検者の頭皮表面上に配置される複数個の送光プローブと、当該頭皮表面上に配置される複数個の受光プローブとを有する送受光部と、
前記送光プローブが頭皮表面に光を照射するとともに、前記受光プローブが頭皮表面から放出される光を検出するように制御することで、Ｍ個の測定部位に関するＭ個の受光量情報を取得する送受光用制御部と、
Ｍ個の受光量情報に基づいて、Ｍ個の測定データを取得する演算部と、
Ｍ個の測定データの内から選択されたＮ個の測定データが配列された表示画面を表示する測定データ表示制御部と、
Ｎ個の測定データの内から選択された少なくとも１個の測定データを処理する処理部とを備える光生体計測装置であって、
前記測定データ表示制御部で表示された表示画面上において、測定データ画像が選択されることにより、前記処理部で処理される測定データが決定され、処理された測定データが表示されることを特徴とする光生体計測装置。
【請求項２】
被検者の頭皮表面上に配置される複数個の送光プローブと、当該頭皮表面上に配置される複数個の受光プローブとを有する送受光部と、
前記送光プローブが頭皮表面に光を照射するとともに、前記受光プローブが頭皮表面から放出される光を検出するように制御することで、Ｍ個の測定部位に関するＭ個の受光量情報を取得する送受光用制御部と、
Ｍ個の受光量情報に基づいて、Ｍ個の測定データを取得する演算部と、
Ｍ個の測定データの内から選択されたＮ個の測定データが配列された表示画面を表示する測定データ表示制御部と、
Ｎ個の測定データの内から選択された少なくとも１個の測定データを処理する処理部とを備える光生体計測装置であって、
前記測定データ表示制御部は、Ｎ個の測定データの配列位置に対応するＮ個の測定データボタンが配列された表示画面を表示し、
前記測定データ表示制御部で表示された表示画面上において、前記測定データボタンが選択されることにより、前記処理部で処理される測定データが決定され、処理された測定データが表示されることを特徴とする光生体計測装置。
【請求項３】
前記測定データ表示制御部で表示された表示画面上において、前記測定データ画像又は前記測定データボタンが選択されることにより、選択された前記測定データ画像又は前記測定データボタンの表示方法を変化させることを特徴とする請求項１又は請求項２に記載の光生体計測装置。
【請求項４】
前記表示方法は、前記測定データ画像又は前記測定データボタンの色を変化させるか、或いは、前記測定データ画像又は前記測定データボタン上に印を付加することを特徴とする請求項３に記載の光生体計測装置。
【請求項５】
前記測定データ表示制御部で表示された表示画面上において、複数個の前記測定データ画像又は前記測定データボタンが選択された後で、前記処理部は、選択された複数個の測定データを処理することを特徴とする請求項１〜請求項４のいずれか１項に記載の光生体計測装置。
【請求項６】
前記処理部は、複数個の測定データを加算する加算処理、複数個の測定データから統計データを算出する統計処理、測定データを拡大表示する拡大表示処理、及び、測定データを数値表で表示するデータ出力処理からなる処理群から選択される少なくとも一つの処理を実行することを特徴とする請求項１〜請求項５のいずれか１項に記載の光生体計測装置。
【発明の詳細な説明】
【技術分野】
【０００１】
本発明は、非侵襲で脳活動を測定する光生体計測装置に関する。特に、脳内各部の血流の経時変化や酸素供給の経時変化を測定することにより、生体の組織が正常であるか否かを診断するための酸素モニタ等として使用することができる光生体計測装置に関する。
【背景技術】
【０００２】
近年、脳の活動状況を観察するために、光を用いて簡便に非侵襲で測定する光脳機能イメージング装置が開発されている。このような光脳機能イメージング装置では、被検者の頭皮表面上に配置した送光プローブにより、異なる３種類の波長λ１、λ２、λ３（例えば、７８０ｎｍと８０５ｎｍと８３０ｎｍ）の近赤外光を脳に照射するとともに、頭皮表面上に配置した受光プローブにより、脳から放出された各波長λ１、λ２、λ３の近赤外光の強度変化（受光量情報）ΔＡ（λ１）、ΔＡ（λ２）、ΔＡ（λ３）をそれぞれ検出する。
そして、このようにして得られた受光量情報ΔＡ（λ１）、ΔＡ（λ２）、ΔＡ（λ３）から、脳血流中のオキシヘモグロビンの濃度変化・光路長積[oxyHb]と、デオキシヘモグロビンの濃度変化・光路長積[deoxyHb]とを求めるために、例えば、Modified Beer Lambert則を用いて関係式（１）（２）（３）に示す連立方程式を作成して、この連立方程式を解いている。さらには、オキシヘモグロビンの濃度変化・光路長積[oxyHb]と、デオキシヘモグロビンの濃度変化・光路長積[deoxyHb]とから総ヘモグロビンの濃度変化・光路長積（[oxyHb]＋[deoxyHb]）を算出している。
ΔＡ（λ１）＝ＥＯ（λ１）×[oxyHb]＋Ｅｄ（λ１）×[deoxyHb]・・・（１）
ΔＡ（λ２）＝ＥＯ（λ２）×[oxyHb]＋Ｅｄ（λ２）×[deoxyHb]・・・（２）
ΔＡ（λ３）＝ＥＯ（λ３）×[oxyHb]＋Ｅｄ（λ３）×[deoxyHb]・・・（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。【０００３】
そして、光脳機能イメージング装置では、脳の複数箇所の測定部位に関するオキシヘモグロビンの濃度変化・光路長積[oxyHb]、デオキシヘモグロビンの濃度変化・光路長積[deoxyHb]及び総ヘモグロビンの濃度変化・光路長積（[oxyHb]＋[deoxyHb]）をそれぞれ測定するために、例えば近赤外分光分析計等が利用されている（例えば、特許文献１参照）。
このような近赤外分光分析計においては、１５個の送光プローブと１５個の受光プローブとを所定の配列で被検者の頭皮表面に接触させるために、ホルダ（送受光部）が使用される。図２は、１５個の送光プローブと１５個の受光プローブとが挿入されるホルダの一例を示す平面図である。
送光プローブ１２Ｔ１〜１２Ｔ１５と受光プローブ１３Ｒ１〜１３Ｒ１５とは、縦方向に５個と横方向に６個とに交互となるように配置されている。このとき、送光プローブ１２Ｔ１〜１２Ｔ１５と受光プローブ１３Ｒ１〜１３Ｒ１５との間の間隔は、３０ｍｍとなっている。これにより、脳の４９箇所の測定部位に関する受光量情報ΔＡｎ（λ１）、ΔＡｎ（λ２）、ΔＡｎ（λ３）（ｎ＝１、２、・・・、４９）を得ている。【０００４】
そして、４９個の受光量情報ΔＡｎ（λ１）、ΔＡｎ（λ２）、ΔＡｎ（λ３）を所定時間間隔Δｔで得ていくことで、関係式（１）（２）（３）を用いて、オキシヘモグロビンの濃度変化・光路長積[oxyHb]の経時変化（測定データ）Ｘｎ（ｔ）、デオキシヘモグロビンの濃度変化・光路長積[deoxyHb]の経時変化（測定データ）Ｙｎ（ｔ）及び総ヘモグロビンの濃度変化・光路長積（[oxyHb]＋[deoxyHb]）の経時変化（測定データ）Ｚｎ（ｔ）（ｎ＝１、２、・・・、４９）を求めて表示している。【０００５】
ここで、図７は、４９箇所の測定部位に関する測定データＸｎ（ｔ）、Ｙｎ（ｔ）、Ｚｎ（ｔ）が配列された表示画面を示す図である。測定データにおける縦軸は濃度変化・光路長積[oxyHb]を示し、横軸は時間ｔを示す。また、チャンネル番号ｎ）（ｎ＝１、２、・・・、４９）は、測定データが得られた送光プローブ１２と受光プローブ１３との関係を示し、各測定データの左上部に表示されている。
そして、４９個の測定データＸｎ（ｔ）、Ｙｎ（ｔ）、Ｚｎ（ｔ）が表示されている。このとき、図２に示した平面図において、送光プローブ１２Ｔ１〜１２Ｔ１５と受光プローブ１３Ｒ１〜１３Ｒ１５とを最短距離で結んだ線の各中点に、その送光プローブ１２から照射させた光を、その受光プローブ１３で検出させたときに得られた測定データが配置されるように整列して表示されている。具体的には、送光プローブ１２Ｔ１から照射させた光を受光プローブ１３Ｒ１で検出させたときの測定データが、チャンネル番号１の測定データ画像＃１として左上に配置され、送光プローブ１２Ｔ２から照射させた光を受光プローブ１３Ｒ１で検出させたときの測定データが、チャンネル番号２の測定データ画像＃２として測定データ画像＃１の右に配置され、送光プローブ１２Ｔ１から照射させた光を受光プローブ１３Ｒ４で検出させたときの測定データが、チャンネル番号６の測定データ画像＃６として測定データ画像＃１の左下に配置されるように、４９個の測定データ画像＃１〜＃４９が整列して配置されている。【０００６】
ところで、図７に示すように、表示された４９個の測定データ＃１〜＃４９には、脳賦活に伴う血流に基づく信号の他、皮膚血流や心拍変動や脈動・呼吸等の変化に基づく信号も重畳されている。
そこで、脳虚血等の病状が生じているか否かを容易に診察することができるように、測定データ＃１〜＃４９に対して様々な処理を実行している。例えば、４９個の測定データ＃１〜＃４９の内から選択された４個の測定データを加算する加算処理や、４９個の測定データ＃１〜＃４９の内から選択された３８個の測定データから統計データを算出する統計処理や、４９個の測定データ＃１〜＃４９の内から選択された４個の測定データを拡大表示する拡大表示処理や、４９個の測定データ＃１〜＃４９の内から選択された４個の測定データを数値表で表示するデータ出力処理等を実行している。【０００７】
ここで、図８は、４９個の測定データ＃１〜＃４９を処理するための入力画面を示す図である。入力画面には、加算処理したい測定データのチャンネル番号を入力するためのスペースと、統計処理したい測定データのチャンネル番号を入力するためのスペースと、拡大表示処理したい測定データのチャンネル番号を入力するためのスペースと、データ出力処理したい測定データのチャンネル番号を入力するためのスペースとが表示されている。また、入力画面の下部には、「ＯＫ」ボタンと、「情報クリア」ボタンとが表示されている。【０００８】
これにより、従来、医師等は図７に示す表示画面を観察して、処理したい測定データのチャンネル番号をノート等に記録し、図８に示す入力画面を呼び出し、入力画面のスペースに測定データのチャンネル番号を入力して、「ＯＫ」ボタンをタッチしていた。
【先行技術文献】
【特許文献】
【０００９】
【特許文献１】特開２００６−１０９９６４号公報
【発明の概要】
【発明が解決しようとする課題】
【００１０】
しかしながら、従来の近赤外分光分析計では、測定データ＃１〜＃４９の表示画面とは別の画面において、処理したい測定データのチャンネル番号を入力しており、別の画面を開くというように切り替えを行う必要があるので、誤ったチャンネル番号をノート等に記録したり、チャンネル番号の位置関係が把握できずに、誤ったチャンネル番号を入力してしまったりすることがあった。
そこで、本発明は、測定データを観察しながら、測定データの処理を容易に実行することができる光生体計測装置を提供することを目的とする。
【課題を解決するための手段】
【００１１】
上記課題を解決するためになされた本発明の光生体計測装置は、被検者の頭皮表面上に配置される複数個の送光プローブと、当該頭皮表面上に配置される複数個の受光プローブとを有する送受光部と、前記送光プローブが頭皮表面に光を照射するとともに、前記受光プローブが頭皮表面から放出される光を検出するように制御することで、Ｍ個の測定部位に関するＭ個の受光量情報を取得する送受光用制御部と、Ｍ個の受光量情報に基づいて、Ｍ個の測定データを取得する演算部と、Ｍ個の測定データの内から選択されたＮ個の測定データが配列された表示画面を表示する測定データ表示制御部と、Ｎ個の測定データの内から選択された少なくとも１個の測定データを処理する処理部とを備える光生体計測装置であって、前記測定データ表示制御部で表示された表示画面上において、測定データ画像が選択されることにより、前記処理部で処理される測定データが決定され、処理された測定データが表示されることを特徴としている。【００１２】
ここで、「測定データ」とは、受光プローブで検出された受光量情報の経時変化自体であってもよく、受光量情報から算出されたオキシヘモグロビン濃度の経時変化やデオキシヘモグロビン濃度の経時変化や全ヘモグロビン濃度の経時変化であってもよく、ある時間における受光量情報自体であってもよく、ある時間におけるオキシヘモグロビン濃度やある時間におけるデオキシヘモグロビン濃度やある時間における全ヘモグロビン濃度であってもよい。【００１３】
本発明の光生体計測装置によれば、測定データ表示制御部は、Ｎ個（≦Ｍ個）の測定データが配列された表示画面を表示する。そして、医師等は、表示画面を観察して、処理したい測定データを表示画面上において選択する。よって、医師等は、処理したい測定データのチャンネル番号を記憶する必要がなくなり、従来のように別の画面を開く切替操作を行う必要がなくなる。
【発明の効果】
【００１４】
以上のように、本発明の光生体計測装置によれば、測定データを観察しながら、測定データの処理を容易に実行することができる。このとき、医師等は、測定データの相対的な位置関係や測定データの質を考慮でき、さらに選択ミス等の誤操作を防ぐことができる。【００１５】
（その他の課題を解決するための手段及び効果）
また、本発明の光生体計測装置は、被検者の頭皮表面上に配置される複数個の送光プローブと、当該頭皮表面上に配置される複数個の受光プローブとを有する送受光部と、前記送光プローブが頭皮表面に光を照射するとともに、前記受光プローブが頭皮表面から放出される光を検出するように制御することで、Ｍ個の測定部位に関するＭ個の受光量情報を取得する送受光用制御部と、Ｍ個の受光量情報に基づいて、Ｍ個の測定データを取得する演算部と、Ｍ個の測定データの内から選択されたＮ個の測定データが配列された表示画面を表示する測定データ表示制御部と、Ｎ個の測定データの内から選択された少なくとも１個の測定データを処理する処理部とを備える光生体計測装置であって、前記測定データ表示制御部は、Ｎ個の測定データの配列位置に対応するＮ個の測定データボタンが配列された表示画面を表示し、前記測定データ表示制御部で表示された表示画面上において、前記測定データボタンが選択されることにより、前記処理部で処理される測定データが決定され、処理された測定データが表示されることを特徴としている。【００１６】
以上のように、本発明の光生体計測装置によれば、測定データの処理を容易に実行することができる。このとき、医師等は、測定データの相対的な位置関係を考慮でき、さらに、選択ミス等の誤操作を防ぐことができる。【００１７】
また、本発明の光生体計測装置においては、前記測定データ表示制御部で表示された表示画面上において、前記測定データ画像又は前記測定データボタンが選択されることにより、選択された前記測定データ画像又は前記測定データボタンの表示方法を変化させるようにしてもよい。
本発明の光生体計測装置によれば、選択した測定データを容易に把握することができる。【００１８】
また、本発明の光生体計測装置においては、前記表示方法は、前記測定データ画像又は前記測定データボタンの色を変化させるか、或いは、前記測定データ画像又は前記測定データボタン上に印を付加することであるようにしてもよい。
そして、本発明の光生体計測装置においては、前記測定データ表示制御部で表示された表示画面上において、複数個の前記測定データ画像又は前記測定データボタンが選択された後で、前記処理部は、選択された複数個の測定データを処理するようにしてもよい。【００１９】
さらに、本発明の光生体計測装置においては、前記処理部は、複数個の測定データを加算する加算処理、複数個の測定データから統計データを算出する統計処理、測定データを拡大表示する拡大表示処理、及び、測定データを数値表で表示するデータ出力処理からなる処理群から選択される少なくとも一つの処理を実行するようにしてもよい。
【図面の簡単な説明】
【００２０】
【図１】本発明の一実施形態である光生体計測装置の概略構成を示すブロック図。
【図２】１５個の送光プローブと１５個の受光プローブとが挿入されるホルダの一例を示す平面図。
【図３】４９箇所の測定部位に関する測定データが配列された表示画面を示す図。
【図４】３８個の測定データが選択された表示画面を示す図。
【図５】４９箇所の測定部位に関する測定データＸｎ（ｔ）が等高線マップとして表現され、４個の測定データが選択された表示画面を示す図。
【図６】４９個の測定データボタンが配列され、４個の測定データボタンが選択された表示画面を示す図。
【図７】４９箇所の測定部位に関する測定データが配列された表示画面を示す図。
【図８】４９個の測定データ＃１〜＃４９を処理するための入力画面を示す図。
【発明を実施するための形態】
【００２１】
以下、本発明の実施形態について図面を用いて説明する。なお、本発明は、以下に説明するような実施形態に限定されるものではなく、本発明の趣旨を逸脱しない範囲で種々の態様が含まれる。
【００２２】
図１は、本発明の一実施形態である光生体計測装置の概略構成を示すブロック図である。光生体計測装置１は、光を出射する光源２と、光源２を駆動する光源駆動機構４と、光を検出する光検出器３と、Ａ／Ｄ（Ａ／Ｄコンバータ）５と、送受光用制御部２１と、演算部２２と、測定データ表示制御部２３と、処理部２４と、メモリ２５とを備えるとともに、１５個の送光プローブ１２と、１５個の受光プローブ１３と、ホルダ３０と、表示装置２６と、キーボード２７とを備える。
【００２３】
光源駆動機構４は、送受光用制御部２１から入力された駆動信号により光源２を駆動する。光源２は、例えば異なる３種類の波長λ１、λ２、λ３の近赤外光を出射することができる半導体レーザＬＤ１、ＬＤ２、ＬＤ３等である。
光検出器３は、例えば光電子増倍管等であり、１５個の受光プローブ１３Ｒ１〜１３Ｒ１５で受光した近赤外光を個別に検出することにより、１５個の受光量情報ΔＡ（λ１）、ΔＡ（λ２）、ΔＡ（λ３）を、Ａ／Ｄ５を介して送受光用制御部２１に出力する。
【００２４】
ホルダ３０には、１５個の送光プローブ１２Ｔ１〜１２Ｔ１５と、１５個の受光プローブ１３Ｒ１〜１３Ｒ１５とが挿入されている。送光プローブ１２Ｔ１〜１２Ｔ１５と受光プローブ１３Ｒ１〜１３Ｒ１５とは、行方向及び列方向に交互となるように正方格子状に配置されている。このとき、送光プローブ１２Ｔ１〜１２Ｔ１５と受光プローブ１３Ｒ１〜１３Ｒ１５との間の間隔は、３０ｍｍとなっている。
【００２５】
送受光用制御部２１は、所定の時間に１個の送光プローブ１２に光を送光する駆動信号を光源駆動機構４に出力するとともに、受光プローブ１３で受光された受光量情報ΔＡｎ（λ１）、ΔＡｎ（λ２）、ΔＡｎ（λ３）（ｎ＝１，２，・・・，４９）を光検出器３で検出する制御を行う。具体的には、まず５ミリ秒間、送光プローブ１２Ｔ１に波長７８０ｎｍの光を送光させ、次の５ミリ秒間には送光プローブ１２Ｔ１に波長８０５ｎｍの光を送光させ、次の５ミリ秒間には送光プローブ１２Ｔ１に波長８３０ｎｍの光を送光させ、次の５ミリ秒間には送光プローブ１２Ｔ２に波長７８０ｎｍの光を送光させるように、所定のタイミングで１個の送光プローブ１２Ｔ１〜１２Ｔ１５へ光を順番に送光させていく。このとき、いずれか１個の送光プローブ１２Ｔ１〜１２Ｔ１５に光を送光させるごとに、１５個の受光プローブ１３Ｒ１〜１３Ｒ１５で受光量情報を検出することになるが、所定のタイミングで検出した所定（光を照射した送光プローブと隣接する）の受光プローブ１３Ｒ１〜１３Ｒ１５の受光量情報をメモリ２５に記憶させる。これにより、合計４９個の受光量情報ΔＡｎ（λ１）、ΔＡｎ（λ２）、ΔＡｎ（λ３）の収集が行われる。
【００２６】
演算部２２は、メモリ２５に記憶された４９個の受光量情報ΔＡｎ（λ１）、ΔＡｎ（λ２）、ΔＡｎ（λ３）に基づいて、関係式（１）（２）（３）を用いて、オキシヘモグロビンの濃度変化・光路長積[oxyHb]の経時変化（測定データ）Ｘｎ（ｔ）、デオキシヘモグロビンの濃度変化・光路長積[deoxyHb]の経時変化（測定データ）Ｙｎ（ｔ）及び総ヘモグロビンの濃度変化・光路長積（[oxyHb]＋[deoxyHb]）の経時変化（測定データ）Ｚｎ（ｔ）（ｎ＝１，２，・・・，４９）を求める制御を行う。
【００２７】
測定データ表示制御部２３は、演算部２２で算出された測定データ＃１〜＃４９を表示する制御を行う。図３は、４９箇所の測定部位に関する測定データＸｎ（ｔ）、Ｙｎ（ｔ）、Ｚｎ（ｔ）が配列された表示画面を示す図である。
表示画面には、４９個の測定データ画像＃１〜＃４９が整列して表示されている。また、各測定データ画像＃１〜＃４９の左上部には、測定データが得られた送光プローブ１２と受光プローブ１３との関係を示すチャンネル番号ｎ（ｎ＝１，２，・・・，４９）が表示されている。そして、測定データ画像＃１〜＃４９の背景の色は、白色となっている。
なお、使用方法については後述するが、表示画面の下部には、「ＯＫ」ボタンと、「キャンセル」ボタンと、「情報クリア」ボタンとが表示されている。そして、表示画面の右部には、「加算処理」ボタンと、「統計処理」ボタンと、「拡大表示処理」ボタンと、「データ出力処理」ボタンとが表示されている。
【００２８】
処理部２４は、図３に示す表示画面上において４９個の測定データ画像＃１〜＃４９の内から測定データ画像が選択されることにより、選択された測定データを処理して表示する制御を行う。図４は、３８個の測定データ＃１、＃６、＃７、＃１２が選択された表示画面を示す図である。
例えば、医師等は、図３に示す表示画面を観察して、１１個の測定データ＃３９、＃４０、＃４１、＃４２、＃４３、＃４４、＃４５、＃４６、＃４７、＃４８、＃４９を除く３８個の測定データから統計データを算出する統計処理を実行したいときには、「統計処理」ボタンを、指やタッチペン等でタッチし、測定データ画像＃１をタッチすることで測定データ画像＃１の背景の色が灰色となり測定データ画像＃２をタッチすることで測定データ画像＃２の背景の色が灰色となるように、３８個の測定データ画像をタッチすることで３８個の測定データ画像の背景の色が灰色となる（図４参照）。そして、「ＯＫ」ボタンをタッチする。これにより、処理部２４は、１１個の測定データ＃３９、＃４０、＃４１、＃４２、＃４３、＃４４、＃４５、＃４６、＃４７、＃４８、＃４９を除く３８個の測定データから統計データを算出して表示する。
このとき、測定データ画像＃３９を誤って選択したときには、「キャンセル」ボタンをタッチし、測定データ画像＃３９をタッチすることで測定データ画像＃３９の背景の色が白色となり、測定データ画像＃３９の選択が取り消される。また、例えば測定データ画像＃７をタッチした後に、統計処理を実行する必要がなくなったときには、「情報クリア」ボタンをタッチすることで測定データ画像＃１〜＃７の背景の色が白色となり、全ての選択が取り消される
【００２９】
また、医師等は、図３に示す表示画面を観察して、測定データ＃１と測定データ＃６と測定データ＃７と測定データ＃１２とを加算する加算処理を実行したいときには、「加算処理」ボタンをタッチし、測定データ画像＃１をタッチすることで測定データ画像＃１の背景の色が灰色となり、測定データ画像＃６をタッチすることで測定データ画像＃６の背景の色が灰色となり、測定データ画像＃７をタッチすることで測定データ画像＃７の背景の色が灰色となり、測定データ画像＃１２をタッチすることで測定データ画像＃１２の背景の色が灰色となり、「ＯＫ」ボタンをタッチする。これにより、処理部２４は、測定データ＃１と測定データ＃６と測定データ＃７と測定データ＃１２とを加算処理した加算測定データを表示する。
【００３０】
そして、医師等は、図３に示す表示画面を観察して、測定データ＃１と測定データ＃６と測定データ＃７と測定データ＃１２とを拡大表示する拡大表示処理を実行したいときには、「拡大表示処理」ボタンをタッチし、測定データ画像＃１をタッチすることで測定データ画像＃１の背景の色が灰色となり、測定データ画像＃６をタッチすることで測定データ画像＃６の背景の色が灰色となり、測定データ画像＃７をタッチすることで測定データ画像＃７の背景の色が灰色となり、測定データ画像＃１２をタッチすることで測定データ画像＃１２の背景の色が灰色となり、「ＯＫ」ボタンをタッチする。これにより、処理部２４は、測定データ＃１と測定データ＃６と測定データ＃７と測定データ＃１２とを拡大表示処理した拡大測定データを表示する。
【００３１】
さらに、医師等は、図３に示す表示画面を観察して、測定データ＃１と測定データ＃６と測定データ＃７と測定データ＃１２とを数値表で表示するデータ出力処理を実行したいときには、「データ出力処理」ボタンをタッチし、測定データ画像＃１をタッチすることで測定データ画像＃１の背景の色が灰色となり、測定データ画像＃６をタッチすることで測定データ画像＃６の背景の色が灰色となり、測定データ画像＃７をタッチすることで測定データ画像＃７の背景の色が灰色となり、測定データ画像＃１２をタッチすることで測定データ画像＃１２の背景の色が灰色となり、「ＯＫ」ボタンをタッチする。これにより、処理部２４は、測定データ＃１と測定データ＃６と測定データ＃７と測定データ＃１２とを数値表で表示する。
【００３２】
以上のように、光生体計測装置１によれば、４９個の測定データ＃１〜＃４９を観察しながら、測定データの処理を容易に実行することができる。このとき、医師等は、測定データの相対的な位置関係や測定データの質を考慮でき、さらに選択ミス等の誤操作を防ぐことができる。
【００３３】
＜他の実施形態＞
（１）上述した光生体計測装置１では、測定データ表示制御部２３は、オキシヘモグロビンの濃度変化・光路長積[oxyHb]の経時変化（測定データ）Ｘｎ（ｔ）、デオキシヘモグロビンの濃度変化・光路長積[deoxyHb]の経時変化（測定データ）Ｙｎ（ｔ）及び総ヘモグロビンの濃度変化・光路長積（[oxyHb]＋[deoxyHb]）の経時変化（測定データ）Ｚｎ（ｔ）（ｎ＝１，２，・・・，４９）を測定データ＃１〜＃４９として表示する構成を示したが、ある時間におけるオキシヘモグロビンの濃度変化・光路長積[oxyHb] を色で表現して、測定データとして表示する構成としてもよい。図５は、４９箇所の測定部位に関する測定データＸｎ（ｔ）が等高線マップとして表現され、４個の測定データ＃１、＃６、＃７、＃１２が選択された表示画面を示す図である。
【００３４】
（２）上述した光生体計測装置１では、図３に示す表示画面上において４９個の測定データ画像＃１〜＃４９の内から測定データ画像が選択される構成を示したが、４９個の測定データの配列位置に対応する４９個の測定データボタンが配列された表示画面を表示し、４９個の測定データボタンの内から測定データボタンが選択される構成としてもよい。図６は、４９個の測定データボタンが配列され、４個の測定データボタンが選択された表示画面を示す図である。
【００３５】
（３）上述した光生体計測装置１では、測定データ画像を指やタッチペン等でタッチする構成を示したが、測定データ画像をスクロールカーソルでクリックしたり、ダブルクリックしたり、長押ししたりする構成としてもよい。
【００３６】
（４）上述した光生体計測装置１では、測定データ画像の背景の色が変化する構成を示したが、測定データ画像上に表示されたチャンネル番号ｎの色が変化したり、チャンネル番号ｎが強調されたりする構成としてもよい。
【００３７】
（５）上述した光生体計測装置１では、１５個の送光プローブ１２Ｔ１〜１２Ｔ１５と、１５個の受光プローブ１３Ｒ１〜１３Ｒ１５とを有するホルダ３０を用いる構成を示したが、８個の送光プローブ１２Ｔ１〜１２Ｔ８と、８個の受光プローブ１３Ｒ１〜１３Ｒ８とを有するホルダを用いる構成としてもよい。
【産業上の利用可能性】
【００３８】
本発明は、非侵襲で脳活動を測定する光生体計測装置等に利用することができる。
【符号の説明】
【００３９】
１：  光生体計測装置
１２：  送光プローブ
１３：  受光プローブ
２１：  送受光用制御部
２２：  演算部
２３：  測定データ表示制御部
２４：  処理部
３０：  ホルダ（送受光部）
【図１】
2014073069.tif 000003
【図２】
2014073069.tif 000004
【図３】
2014073069.tif 000005
【図４】
2014073069.tif 000006
【図５】
2014073069.tif 000007
【図６】
2014073069.tif 000008
【図７】
2014073069.tif 000009
【図８】
2014073069.tif 000010
【国際調査報告】
2014073069.tif 000011
2014073069.tif 000012
2014073069.tif 000013
2014073069.tif 000014